(57)【要約】【課題】不審者の家屋等への侵入を低コストで効果的に防止する。【解決手段】可聴音としての生活音に、連続的又は間欠的な超音波を合成した音を記録した防犯用記録媒体等。生活音は、該防犯用記録媒体の使用者の年齢又は使用時間帯を考慮して記録することができる。前記記録媒体は、光ディスク、磁気ディスク、光磁気ディスク、又は磁気テープのいずれかとすることができる。外部から視認不能な防犯対象空間の内で、可聴音としての生活音に、連続的又は間欠的な超音波を合成した音を出力し、不審者に対して、居住者が恰も家屋内で生活しているように装い、低コストでより効果的に不審者による家屋への侵入を防止することができる。【選択図】なし【特許請求の範囲】
【請求項１】
可聴音としての生活音に、連続的又は間欠的な超音波を合成した音を記録したことを特徴とする防犯用記録媒体。
【請求項２】
前記生活音は、該防犯用記録媒体の使用者の年齢又は使用時間帯を考慮して記録されることを特徴とする請求項１に記載の防犯用記録媒体。
【請求項３】
前記記録媒体は、光ディスク、磁気ディスク、光磁気ディスク、又は磁気テープであることを特徴とする請求項１又は２に記載の防犯用記録媒体。
【請求項４】
外部から視認不能な防犯対象空間の内で、可聴音としての生活音に、連続的又は間欠的な超音波を合成した音を出力することを特徴とする防犯方法。
【発明の詳細な説明】
【技術分野】
【０００１】
本発明は、一般住宅等の家屋等において不審者等の侵入を防止するための技術に関する。
【背景技術】
【０００２】
従来、家屋等へ不審者が侵入するのを防止するため、種々の防犯システムが提案されている。例えば、特許文献１及び２には、家屋等への不審者の接近を検知して音声等を出力するシステムが開示されている。
【０００３】
また、特許文献３には、日常の生活音、放送番組の受信情報を含む各種情報源からの音声・映像情報が記録された情報記録媒体の情報を再生する再生手段と、この再生手段からの再生情報を受けて音声・映像を表示する宅内ＡＶ機器と、乱数を生成して乱数情報を出力する乱数発生手段と、再生指令を受けたとき、前記乱数発生手段の乱数情報に基づいて再生手段を制御し、情報記録媒体の記録情報をランダムに再生させる制御手段とからなる簡単な構成により、住人の不在時に不審者の侵入を防止する防犯機能を備えたＡＶ装置が開示されている。
【先行技術文献】
【特許文献】
【０００４】
【特許文献１】特開２００９−１１０２３７号公報
【特許文献２】特開平１１−２０３５７９号公報
【特許文献３】特開２００７−２６５０２１号公報
【発明の概要】
【発明が解決しようとする課題】
【０００５】
しかし、上記特許文献１及び２に記載の防犯システムは、少なくとも、音声等を出力する出力装置と、不審者の接近を検知するための検知装置と、検知装置の検知結果に基づいて音声等を出力するように制御する制御装置とが必要となる。そのため、システム構成が複雑になり、設備コストが高騰するという問題があった。
【０００６】
また、特許文献３に記載の防犯機能を備えたＡＶ装置は、システム構成が簡素であるため、コストを低く抑えることができるが、情報記録媒体に記録されている音声・映像情報をＡＶ装置でランダムに再生するものであって、音声・映像情報に頼るという点で特許文献１及び２と共通し、改善の余地があった。
【０００７】
そこで、本発明は、上記従来の技術における問題点に鑑みてなされたものであって、不審者の家屋等への侵入を低コストで効果的に防止することを目的とする。
【課題を解決するための手段】
【０００８】
上記目的課題を解決するため、本発明は、防犯用記録媒体であって、可聴音としての生活音に、連続的又は間欠的な超音波を合成した音を記録したことを特徴とする。ここで、可聴音とは、人間の耳に聞こえる音であって、２０〜２万Ｈｚの周波数を有する音波をいう。また、超音波とは、人間の耳には聞こえない高い周波数を有する音波をいう。生活音とは、エアコン等の家庭用設備や掃除機等の家庭用機器を使用している際に生じる騒音、及び居住者等の話し声等、居住者の生活に伴って発生する音をいう。
【０００９】
そして、本発明によれば、居住者が不在の家屋等において、可聴音としての生活音と超音波とを合成した音を出力することで、可聴音のみの場合と比較して、不審者に対して、居住者が恰も家屋内で生活しているように装う効果がより大きくなるため、低コストでより効果的に不審者による家屋への侵入を防止することができる。
【００１０】
前記防犯用記録媒体において、前記生活音を、該防犯用記録媒体の使用者の年齢又は使用時間帯を考慮して記録することができる。これにより、居住者の実際の生活により近い形で生活音を再現することができ、より効果的に居住者が家屋内で生活しているように装うことができ、不審者による家屋への侵入をさらに効果的に防止することができる。
【００１１】
前記防犯用記録媒体を、光ディスク、磁気ディスク、光磁気ディスク、又は磁気テープとすることができ、種々の媒体を利用することができる。
【００１２】
また、本発明は、防犯方法であって、外部から視認不能な防犯対象空間の内で、可聴音としての生活音に、連続的又は間欠的な超音波を合成した音を出力することを特徴とする。これにより、上記発明と同様、可聴音のみの場合と比較して、不審者に対して、居住者が恰も家屋内で生活しているように装う効果がより大きくなり、低コストでより効果的に不審者による家屋への侵入を防止することができる。
【発明の効果】
【００１３】
以上のように、本発明によれば、低コストで効果的に不審者による家屋等への侵入を防止することができる。
【発明を実施するための形態】
【００１４】
次に、本発明の実施の形態について詳細に説明する。尚、以下の説明においては、記録媒体として、光ディスクの一種であるＣＤ（コンパクトディスク）を用いる場合を例にとって説明する。
【００１５】
本発明にかかるＣＤには、可聴音としての生活音に、連続的又は間欠的な超音波を合成した音が記録されている。生活音は、上述のように、居住者の生活に伴って発生する音であって、種々の音が含まれるが、本実施の形態においては、以下の音を記録する。また、このＣＤに、連続的又は間欠的な超音波を記録したことが本発明の最も特徴的な部分であり、この点については後述する。
【００１６】
表１及び表２に示すように、このＣＤに記録される生活音は、食器を洗う音等の比較的大きな基本音と、話し声等の基本音より小さい素材音とで構成され、記録される基本音及び素材音は、居住者の年齢及び使用時間帯を考慮して選択される。尚、両表において、ＣＤに記録する素材音には○を、記録しない素材音には×を各々付している。
【００１７】
【表１】
2011095805.tif 000002
【００１８】
【表２】
2011095805.tif 000003
【００１９】
表１は、居住者の年齢が、およそ３０歳代から５０歳代の、いわゆるミドル世代に好適なＣＤの構成を示す。上方には、トラック１として、昼間の時間帯に使用すべき構成を、下方には、トラック２として、夜間の時間帯に使用すべき構成を各々示す。
【００２０】
昼間の時間帯においては、家屋内の清掃等をしている場合が多いため、食器を洗う音、掃除機を使用する音及び食器を片づける音を、この順に記録して基本音とし、これらの基本音との組み合わせとして適する素材音を選択して記録している。また、夜間の時間帯においては、食事をしている場合が多いため、調理する音、食事音及び食器を洗う音を、この順に記録して基本音とし、これらの基本音との組み合わせとして適する素材音を選択して記録している。
【００２１】
このように、時間帯を考慮して記録する基本音及び素材音を選択することにより、居住者の実際の生活により近い形で生活音を再現することができ、居住者が家屋内で生活しているように、より効果的に装うことができる。
【００２２】
表２は、居住者の年齢が、およそ６０歳代以上の、いわゆるシニア世代に好適なＣＤの構成を示す。上記ミドル世代の場合と同様に、上方には、トラック１として、昼間の時間帯に好適な構成を、下方には、トラック２として、夜間の時間帯に好適な構成を各々示す。
【００２３】
記録する基本音については、上記ミドル世代の場合と同様であるが、素材音については、ミドル世代の場合とは異なり、シニア世代を考慮した音を記録している。例えば、着信音に代えて爪を切る音を、また、ドアの開閉音に変えて引き戸の開閉音を、さらには、くしゃみの音に変えてタンスの開閉音とすることにより、居住者の実際の生活により近い形で生活音を再現することができ、より効果的に居住者が家屋内で生活しているように装うことができる。
【００２４】
尚、上記表１及び表２に示す咳払い、会話音声、くしゃみの音及びゲップの音については、居住者の性別に対応する性別の音声とすることもできる。これにより、居住者の実際の生活により近い形で生活音を再現することができる。また、特にシニア世代においては、男性と女性の両方の音声を記録してもよい。
【００２５】
また、上記可聴音については、録音したものであることを容易に悟られないような単純な音でないようにすることが好ましい。さらに、可聴音を構成する上記基本音及び素材音についても、上記の例に限定されることなく、例えば、一人暮らしをしている者、特に女性の一人暮らしの場合を考慮して男性の声を入れたものであるとか、住居以外の事務所で利用できるように事務所特有の音としたり、閉店後の飲食店を考慮したものとすることもできる。
【００２６】
上記ＣＤに記録した超音波は、周波数が２２０００Ｈｚ程度で、５６ｄＢ程度の大きさを有する。この超音波を、上記可聴音としての生活音に連続的又は間欠的に合成することで、より効果的に、居住者が家屋内で生活しているように装うことができる。
【００２７】
上記ＣＤを製造するにあたっては、使用者の年齢及び使用時間帯を考慮して、デジタル録音装置ＺＯＯＭ社製ＨＡＮＤＹ  ＲＥＣＯＲＤＥＲ  Ｈ２で演者にディレクションを行いながら基本音、素材音を収録。その納めたデジタル音声をｉＭａｃ（登録商標）２４ｉｎｃ  ３．０６ＧＨｚ、Ｍａｃ  Ｂｏｏｋ  Ｐｒｏ（登録商標）  ２．５３ＧＨｚを用い、Ａｐｐｌｅ社製Ｌｏｇｉｃ  ｓｔｕｄｉｏ  ９  で基本及び素材音の強弱、こもり具合等を加工し、Ａｂｌｅｔｏｎ社製Ｌｉｖｅ  ８編集で基本音と素材音を調整編集し、Ａｐｐｌｅ社製Ｓｏｕｎｄ  Ｔｒａｃｋ  Ｐｒｏで高周波を挿入し、同ソフトウェアでミックスダウンを行いＣＤが完成する。
【００２８】
上述のようにして作成されたＣＤを使用するには、居住者が外出する際に、ＣＤラジカセ等にＣＤをセットし、ＣＤに記録された可聴音及び超音波を流すだけでよく、これによって、居住者が恰も家屋内で生活しているように装うことができ、家屋等への不審者の侵入を防止することができる。実際に、周波数が約２２０００Ｈｚ、大きさが約５６ｄＢの超音波を家屋の屋内から発し、屋外で７人の者に屋内で人の気配を感じるかどうかを試したところ、６人が人の気配を感じた。
【００２９】
尚、上記実施の形態においては、防犯用記録媒体としてＣＤを採用したが、これに限らず、ＣＤ以外の光ディスク、磁気ディスク、光磁気ディスク、又は磁気テープを用いることもできる。
【００３０】
また、記録媒体を用いることなく、例えば、防犯対象となる家屋の外部から受信した電波に基づき、音響機器から可聴音としての生活音に、連続的又は間欠的な超音波を合成した音を出力することでも、上記と同様の効果を奏する。